(57)【要約】【課題】松くい虫等により衰弱している松の木に傷つけることなく、健全な松の木に再生出来る方法。【解決手段】水１００リットルに対し、米ぬか１０Ｋｇ、鶏糞１Ｋｇ、牛糞０．５リットル、菜種油粕１Ｋｇ、牡蠣殻１Ｋｇ、粉炭１リットル、貝化石１Ｋｇの割合で混合したものに更に、ステビア１Ｋｇ、有用微生物群（光合成菌、酵母、乳酸菌、糸状菌、放線菌混合）１リットルの配合割合で混合し、発酵させたことを特徴とする松枯れ防止改良剤に、更にアセビ、アジサイ、キョウチクトウの葉、樹皮、茎、花を切り刻んだチップを土と混合した肥沃土を衰弱した樹木根廻りに掘り込んだ環状の溝に埋設するとともに液肥を散布した後に環状溝の掘削時に発生した土を覆土する手順で、樹木再生を図ることを特徴とする松枯れ防止方法。【選択図】図１
2017132665.tif 000002
【特許請求の範囲】
【請求項１】
米ぬか１０、鶏糞１、牛糞０．５、菜種油粕１、牡蠣殻１、粉炭１、貝化石１の配合割合にステビア１、有用微生物群（光合成菌、酵母、乳酸菌、糸状菌、放線菌混合）１、水１００の配合割合で混合発酵させた土壌改良材に化成肥料（Ｎ６，Ｐ４，Ｋ３）とコーティング肥料（Ｎ１６、Ｐ５、Ｋ１０）を加え混合したことを特徴とする肥沃土。
【請求項２】
前記肥沃土にアセビ、アジサイ、キョウチクトウの株、葉、樹皮、茎、花を切り刻んだチップを混合したものを、衰弱した樹木根廻りに埋設するとともに液肥を散布する手順で樹木再生を図ることを特徴とする松枯防止方法。
【発明の詳細な説明】
【技術分野】
【０００１】
松の病虫害被害から松を防御する方法に関するものである。
【背景技術】
【０００２】
近年、国内で松枯れがいたるところに広がり、松枯れの防除が問題になっている。この松の木を枯らす要因は、化石燃料の燃焼や自動車の排気ガス等を原因とする酸性雨による土壌の酸性化や集団枯れを引き起こすツチクラゲ病やナラタケ病、害虫ではマツノキクムシやマツノマダラカミキリが媒介するマツノザイセンチュウ等により松の木を枯らしています。特に松の木に寄生するマツノザイセンチュウによる被害が多くその対策が問題となっている。
【０００３】
そこで、樹木内の有害生物による枯損を防止するために、殺虫剤の散布法や殺線虫剤の樹幹注入法が行われている。しかし、これらの処理法はそれぞれ問題点があり、散布法は極めて効果的な防除法であるが、周辺の状況によって色々な制約を受け、特に適切な期間に散布することが重要であるとともに天候に左右され易く、散布に伴い自然環境に対し好ましくない影響を及ぼす可能性が大きい。
【０００４】
また樹幹注入法は、水に対する溶解度が５ｇ／１以下の殺虫剤及び／又は殺菌剤ＨＬＢが１２以上の非イオン界面活性剤を含有する可溶化剤、水及び／又は水と混和しうる溶剤を含有する樹幹注入可溶化製剤（特許文献１）による樹幹注入法がある。しかし特定の松の保護に有効であるが、樹幹にいくつかの注入孔を開けるため、これに伴う障害が発生し易くまた、継続施用となるためコスト的に経費がかさむ問題がある。
【先行技術文献】
【特許文献】
【０００５】
【特許文献１】特開平８−１７５９１４号公報
【発明の概要】
【発明が解決しようとする課題】
【０００６】
本発明者は、衰弱している松の再生に施工時期を限定することなく、樹木を傷つけず松枯れ状況から立直り、さらに松枯れ被害を予防できる健全な松の木に再生できる松枯防止を提供すること。
【課題を解決するための手段】
【０００７】
本発明者は、上記目的を解決すべく松枯れ状況で衰弱している松の根本廻りを環状に掘り込んだ堀込部分に松の健全生育化を図るため、土壌改良剤と有用醗酵微生物と肥料が混合された肥沃土、即効性に優れた液肥、害虫駆除をめざす殺虫効果がある植物の毒素成分を用いた自然農薬、の三点を環状堀込部から樹木根に摂取させる松枯防止方法。
【０００８】
前記松枯防止方法で用いる肥沃土は、米ぬかに有用微生物群、ステビア、鶏糞、牛糞、菜種油粕、牡蠣殻粒、粉炭、貝化石を混合した微生物応用の土壌改良材に化成肥料とコーティング肥料を混合した持続性に優れた肥沃土とし、衰弱した樹木の根廻りに埋設することにより、根の張りや養分の吸収効果が高く免疫機能も改善されて、病害虫への抵抗力アップが図れる。
【０００９】
前記即効性の液肥は、肥料の三大要素の成分が液肥１００ｇ中に葉や茎をなどの生育を促進するチッ素１０ｇ、根を伸長させるリン酸５ｇ、根や茎葉を丈夫にするカリ５ｇが含まれ、特にチッ素成分が多い液肥で茎葉の回復を図る。
【００１０】
前記自然農薬は、殺虫効果があるアセビ、アジサイ、キョウチクトウの株、葉、樹皮、茎、花を切り刻んだチップを環状堀込部に埋設して、樹木の根から上記アセビ等の毒素を摂取させ、害虫の駆除を図る。
【発明の効果】
【００１１】
即効性肥料と有機性肥料に複数の微生物の組合せからなる有用微生物群が混合された肥沃土と自然農薬を用いた松枯防止法は、土壌の改良、安定性、増殖性、持続性に優れ、樹勢の衰えた樹木や古木等の樹勢を回復します。
【００１２】
また、自然界に存在する身近な微生物の光合成細菌、酵母、乳酸菌、糸状菌、放線菌の有用微生物群を肥沃土に混合したことにより、樹木に有害な土壌中の病害菌の増殖を抑え、微生物環境を整え、樹木が吸収する微生物により樹木内での病害菌の増殖を抑制し、病害に強い樹木となります。  
【図面の簡単な説明】
【００１３】
【図１】樹木の根本廻りに環状堀込を示す説明図である。
【図２】環状堀込の堀込幅、堀込深さを示す説明断面図である。
【図３】環状堀込部分に埋設する肥沃土と覆土する割合を示す説明断面図である。
【発明を実施するための形態】
【００１４】
以下、図面を参照して本発明の具体的な実施形態を詳述する。
【実施例】
【００１５】
図１は、衰弱している松等の樹木１の葉ぶり幅で、樹木根本廻りに幅約２０ｃｍ前後、深さ約１０ｃｍ前後の環状堀込２を形成し、この環状堀込部分に健全な樹木に再生する松枯防止方法を提供する手順を示すものである。上記環状堀込部分に米ぬか１０、鶏糞１、牛糞０．５、菜種油粕１、牡蠣殻１、粉炭１、貝化石１の配合割合にステビア１、有用微生物群（光合成細菌、酵母、乳酸菌、糸状菌、放線菌混合）１、水１００の配合割合で混合発酵させた土壌改良材に化成肥料（チッ素６％、リン酸４％、カリ３％配合）と緩効化のコーティング肥料（チッ素１６％、リン酸５％、カリ１０％配合）を加え混合した肥沃土３とする。
【００１６】
前記肥沃土に植物で有毒成分のグラヤノトキシンを含有するアセビ、シアン化合物を含有するアジサイ、オレアンドリンを含有するキョウチクトウの株、葉、樹皮、茎、花を切り刻んでチップにした自然農薬の木くずを加え混合した肥沃土を前記環状堀込部に埋設することにより、酸性土壌の改良、有用微生物群による病害菌の抑制、コーティング肥料や有機肥料による肥料の持続性及び自然農薬による害虫の駆除を図る。
【００１７】
環状堀込部に埋設した前記肥沃土の上から、水で希釈した即効性のある液肥（チッ素１０％、リン酸５％、カリ５％配合）を散布し、衰弱した樹木に活力を与える。これによって前記で施肥した肥沃土内の各効用が発揮され、健全な樹木へと再生される。
【００１８】
図２は、樹木廻りに環状堀込を形成した堀込部の幅、深さを示したものである。この堀込幅４は約２０ｃｍ前後、堀込深さ５約１０ｃｍ前後の環状堀込２を形成し、衰弱した樹木への土壌を改良し、肥料、有用微生物群を供与し、病害菌及び害虫駆除を図り、自然農薬を与える環状堀込である。
【００１９】
図３は、環状堀込部に肥沃土を埋設し、覆土した状態を示すものである。この環状堀込部内に肥沃土となる米ぬか、鶏糞、牛糞、菜種油粕、牡蠣殻粒、粉炭、貝化石の混合にステビア、有用微生物群を混合し、発酵させた土壌改良材に化成肥料とコーティング肥料を加え混合した肥沃土３で環状堀込部分の約８割程度埋め戻し、その上に液肥を散布し、残り約２割部分を環状堀込部を形成した堀込土６で覆土して環状堀込部２を埋め戻し、土壌改良、微生物補給、害虫駆除等の施肥により樹木の再生を図る方法。
【産業上の利用可能性】
【００２０】
本発明は、衰弱した松の木及びその他の衰弱した庭木等の樹勢を回復させ、土壌中の病害菌及び害虫の増殖を抑え、微生物物環境を整え病害に強い樹木に再生する肥沃土を用いた松枯防止工法であり、名勝地等の松枯防止対策に、また果樹等の樹勢を回復させる肥沃土として、これから多いに使用される松枯防止工法である。
【符号の説明】
【００２１】
１    樹木
２    環状堀込
３    肥沃土
４    堀込幅
５    堀込深さ
６    堀込土
【図１】
2017132665.tif 000003
【図２】
2017132665.tif 000004
【図３】
2017132665.tif 000005
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
水１００リットルに対し、米ぬか１０Ｋｇ、鶏糞１Ｋｇ、牛糞０．５リットル、菜種油粕１Ｋｇ、牡蠣殻１Ｋｇ、粉炭１リットル、貝化石１Ｋｇの配合割合で混合したものに、更にステビア１Ｋｇ、有用微生物群（光合成菌、酵母、乳酸菌、糸状菌、放線菌混合）１リットルの配合割合で混合し、発酵させたことを特徴とする松枯れ防止改良剤。
【請求項２】
請求項１に記載の松枯れ防止改良剤を土と混合した肥沃土にアセビ、アジサイ、キョウチクトウの葉、樹皮、茎、花を切り刻んだチップを混合したものを、衰弱した樹木周りに埋設するとともに、液肥を散布する手順で樹木再生を図ることを特徴とする松枯れ防止方法。
【手続補正２】
【補正対象書類名】明細書
【補正対象項目名】全文
【補正方法】変更
【補正の内容】
【発明の詳細な説明】
【技術分野】
【０００１】
病虫害から松を防御する方法に関するものである。
【背景技術】
【０００２】
近年、国内で松枯れがいたるところに広がり、松枯れの防除が問題になっている。この松の木を枯らす要因は、化石燃料の燃焼や自動車の排気ガス等を原因とする酸性雨による土壌の酸性化や集団枯れを引き起こすツチクラゲ病やナラタケ病、害虫ではマツノキクムシやマツノマダラカミキリが媒介するマツノザイセンチュウ等によるが、特に松の木に寄生するマツノザイセンチュウによる被害が多く、その対策が問題となっている。
【０００３】
そこで、樹木内の有害生物による枯損を防止するために、殺虫剤の散布法や殺線虫剤の樹幹注入法が行われている。しかし、これらの処理法はそれぞれ問題点があり、散布法は極めて効果的な防除法であるが、周辺の状況によって色々な制約を受け、特に適切な期間に散布することが重要であるとともに天候に左右され易く、散布に伴い自然環境に対し好ましくない影響を及ぼす可能性が大きい。
【０００４】
また樹幹注入法は、水に対する溶解度が５ｇ／リットル以下の殺虫剤及び／又は殺菌剤ＨＬＢが１２以上の非イオン界面活性剤を含有する可溶化剤、水及び／又は水と混和しうる溶剤を含有する樹幹注入可溶化製剤（特許文献１）による樹幹注入法がある。しかし特定の松の保護に有効であるが、樹幹にいくつかの注入孔を開けるため、これに伴う障害が発生し易くまた、継続施用となるためコスト的に経費がかさむ問題がある。    
【先行技術文献】
【特許文献】
【０００５】
【特許文献１】特開平８−１７５９１４号公報
【発明の概要】
【発明が解決しようとする課題】
【０００６】
本発明者は、衰弱している松の再生に施工時期を限定することなく、樹木を傷つけず、松枯れ状況から立直り、さらに松枯れ被害を予防できる健全な松の木に再生できる松枯防止改良剤を提供すること。
【課題を解決するための手段】
【０００７】
上記課題を解決するために本発明は、水１００リットルに対し、米ぬか１０Ｋｇ、鶏糞１Ｋｇ、牛糞０．５リットル、菜種油粕１Ｋｇ、牡蠣殻１Ｋｇ、粉炭１リットル、貝化石１Ｋｇの割合で混合したものに、更にステビア１Ｋｇ、有用微生物群（光合成菌、酵母、乳酸菌、糸状菌、放線菌混合）１リットル、の配合割合で混合し、発酵させたことを特徴とする松枯れ防止改良剤を提供する。
【０００８】
また本発明は、前記松枯れ防止改良剤に更にアセビ、アジサイ、キョウチクトウの葉、樹皮、茎、花を切り刻んだチップを自然農薬として、土に混合した肥沃土を衰弱した樹木根廻りに掘り込んだ環状の溝に埋設するとともに、即効性の液肥を散布すると言う手順で樹木再生を図ることを特徴とする松枯防止方法を提供する。
【０００９】
前記自然農薬は、殺虫効果があるアセビ、アジサイ、キョウチクトウの葉、樹皮、茎、花を切り刻んだチップを環状堀込部に埋設して、樹木の根から上記アセビ等の毒素を摂取させ、害虫の駆除を図る。
【００１０】
前記即効性の液肥は、肥料の三大要素の成分が液肥１００ｇ中に葉や茎などの生育を促進するチッ素１０ｇ、根を伸長させるリン酸５ｇ、根や茎葉を丈夫にするカリ５ｇが含まれ、特にチッ素成分が多い液肥で、茎葉の回復を図る。
【発明の効果】
【００１１】
即効性液肥と有機性土壌改良土に複数の微生物の組合せからなる有用微生物群が混合された肥沃土と自然農薬を用いた松枯防止方法は、土壌の改良、樹木生育の安定性・増殖性・持続性に優れ、樹勢の衰えた樹木や古木等の樹勢を回復します。
【００１２】
また、自然界に存在する身近な微生物の光合成細菌、酵母、乳酸菌、糸状菌、放線菌の有用微生物群を肥沃土に混合したことにより、樹木に有害な土壌中の病害菌の増殖を抑え、微生物環境を整え、樹木が吸収する微生物により樹木内での病害菌の増殖を抑制し、病害に強い樹木となります。  
【図面の簡単な説明】
【００１３】
【図１】樹木の根本廻りに設置する環状堀込部を示す説明図である。
【図２】環状堀込部の堀込幅、堀込深さを示す説明断面図である。
【図３】環状堀込部に埋設する土壌改良剤と覆土する割合を示す説明断面図である。
【発明を実施するための形態】
【００１４】
以下、図面を参照して本発明の具体的な実施形態を詳述する。
【実施例】
【００１５】
図１の環状堀込部は、衰弱している松等の樹木１の葉ばり幅の位置に、幅約２０ｃｍ前後、深さ約１０ｃｍ前後の環状堀込部２を形成したことを示す概略図である。
【００１６】
上記環状堀込部に水１００リットルに対し、米ぬか１０Ｋｇ、鶏糞１Ｋｇ、牛糞０．５リットル、菜種油粕１Ｋｇ、牡蠣殻１Ｋｇ、粉炭１リットル、貝化石１Ｋｇの割合で配合したものに更に、ステビア１Ｋｇ、有用微生物群（光合成細菌、酵母、乳酸菌、糸状菌、放線菌混合）１リットル、の配合割合で混合し、発酵させた土壌改良剤を使用した肥沃土３を埋設するものである。
【００１７】
前記土壌改良剤を使用した肥沃土に、植物で有毒成分のグラヤノトキシンを含有するアセビ、シアン化合物を含有するアジサイ、オレアンドリンを含有するキョウチクトウの葉、樹皮、茎、花を切り刻んでチップにした自然農薬の木くずを加え混合した肥沃土を前記環状堀込部に埋設することにより、酸性土壌の改良、有用微生物群による病害菌の抑制、有機質肥料による肥料分の持続性、及び自然農薬による害虫の駆除を図る。
【００１８】
環状堀込部に埋設した前記肥沃土の上から、水で希釈した即効性のある液肥（チッ素１０％、リン酸５％、カリ５％配合）を散布し、衰弱した樹木に活力を与える。これによって前記で施肥した肥沃土内の各効用が発揮され、健全な樹木へと再生される。
【００１９】
図２は、樹木廻りに環状堀込を形成した堀込部の幅、深さを示したものである。この堀込幅４は、約２０ｃｍ前後、堀込深さ５は約１０ｃｍ前後の環状堀込部２を形成し、衰弱土壌を改良し、肥料、有用微生物群を供与し、病害菌及び害虫駆除を図り、自然農薬を与えることにより、衰弱した樹木対し、健全性を供与する環状堀込部である。
【００２０】
図３は、環状堀込部に肥沃土を埋設し、覆土した状態を示すものである。この環状堀込部内に肥沃土となる米ぬか、鶏糞、牛糞、菜種油粕、牡蠣殻粒、粉炭、貝化石の混合にステビア、有用微生物群を混合し発酵させた土壌改良剤を使用した肥沃土３で、環状堀込部の約８割程度埋め戻し、その上に液肥を散布し、残り約２割部分に環状堀込部を形成した堀込土６で覆土して環状堀込部２を埋め戻し、土壌改良、微生物補給、害虫駆除等により樹木の再生を図る。
【産業上の利用可能性】
【００２１】
本発明は、衰弱した松の木及びその他の衰弱した庭木等の樹勢を回復させ、土壌中の病害菌及び害虫の増殖を抑え、微生物物環境を整え病害に強い樹木に再生する肥沃土を用いた松枯防止方法であり、名勝地等の松枯防止対策に、また果樹等の樹勢を回復させる肥沃土として、これから多いに使用される松枯防止方法である。
【符号の説明】
【００２２】
１    樹木
２    環状堀込部
３    肥沃土
４    堀込幅
５    堀込深さ
６    堀込土